(57)【特許請求の範囲】
【請求項１】
拡張現実空間にオブジェクトを配置するオブジェクト管理部と、
前記拡張現実空間内におけるユーザの所在位置を含む前記ユーザの行動の履歴である行動履歴情報を取得する行動履歴取得部と、
広告情報を記憶する広告情報記憶部と、
前記ユーザの前記行動履歴情報に応じた前記広告情報を前記広告情報記憶部から取得する広告取得部と、
を備え、
前記オブジェクト管理部は、取得された前記広告情報を前記拡張現実空間に配置することを特徴とする拡張現実システム。
【請求項２】
請求項１に記載の拡張現実システムであって、
前記拡張現実空間において商品又はサービスの購入を行う購入処理部をさらに備え、
前記広告取得部は、前記商品又はサービスの購入履歴に応じて前記広告情報を取得すること、
を特徴とする拡張現実システム。
【請求項３】
請求項１に記載の拡張現実システムであって、
前記オブジェクト管理部は、複数の前記オブジェクトを前記拡張現実空間に配置し、
前記拡張現実空間内で前記ユーザが閲覧した前記オブジェクトを特定する閲覧検出部をさらに備え、
前記広告取得部は、前記オブジェクトの閲覧履歴に応じて前記広告情報を取得すること、
を特徴とする拡張現実システム。
【請求項４】
請求項１に記載の拡張現実システムであって、
前記ユーザが閲覧した前記拡張現実空間内の閲覧箇所を特定する閲覧検出部をさらに備え、
前記広告取得部は、前記閲覧箇所の閲覧履歴に応じて前記広告情報を取得すること、
を特徴とする拡張現実システム。
【発明の詳細な説明】
【技術分野】
【０００１】
本発明は、拡張現実システムに関する。
【背景技術】
【０００２】
拡張現実形態のガイド情報を提供することが行われている（特許文献１参照）。
【先行技術文献】
【特許文献】
【０００３】
【特許文献１】特許第６１００４９６号明細書
【発明の概要】
【発明が解決しようとする課題】
【０００４】
拡張現実形態のガイド情報を用いているときには広告を表示することができない。
【０００５】
本発明は、このような背景を鑑みてなされたものであり、拡張現実空間に広告を提供することができる技術を提供することを目的とする。
【課題を解決するための手段】
【０００６】
上記課題を解決するための本発明の主たる発明は、拡張現実システムであって、拡張現実空間に配置されたオブジェクトを視聴するユーザ属性に応じた広告情報を取得する広告取得部と、前記拡張空間に前記オブジェクトを配置するとともに、前記広告情報を配置するオブジェクト管理部と、を備えることを特徴とする。
【０００７】
その他本願が開示する課題やその解決方法については、発明の実施形態の欄及び図面により明らかにされる。
【発明の効果】
【０００８】
本発明によれば、拡張現実空間に広告を提供することができる。
【図面の簡単な説明】
【０００９】
【図１】本実施形態に係る拡張現実システム１の全体構成図である。
【図２】本実施形態に係る拡張現実システム１のシステム構成図である。
【図３】ユーザ端末３が広告を受信するプロセスを示すフローチャートである。
【図４】本実施形態に係る拡張現実システムにおける拡張現実コンテンツの表示に関する説明図である。
【図５】本実施形態に係る拡張現実システムにおける仮想オブジェクトと広告とのインタラクションに関する説明図である。
【発明を実施するための形態】
【００１０】
＜発明の概要＞
本発明の実施形態の内容を列記して説明する。本発明は、たとえば、以下のような構成を備える。
［項目１］
拡張現実空間に配置されたオブジェクトを視聴するユーザ属性に応じた広告情報を取得する広告取得部と、
前記拡張空間に前記オブジェクトを配置するとともに、前記広告情報を配置するオブジェクト管理部と、
を備えることを特徴とする拡張現実システム。
［項目２］
項目１に記載の拡張現実システムであって、
前記拡張現実空間において商品又はサービスの購入を行う購入処理部をさらに備え、
前記広告取得部は、前記商品又はサービスの購入履歴に応じて前記広告情報を取得すること、
を特徴とする拡張現実システム。
［項目３］
項目１に記載の拡張現実システムであって、
前記拡張現実空間における前記ユーザの行動履歴情報を取得する行動履歴取得部をさらに備え、
前記広告取得部は、前記行動履歴に応じた前記広告情報を取得すること、
を特徴とする拡張現実システム。
［項目４］
項目１に記載の拡張現実システムであって、
前記オブジェクト管理部は、複数の前記オブジェクトを前記拡張現実空間に配置し、
前記ユーザが閲覧した前記オブジェクトを特定する閲覧検出部をさらに備え、
前記広告取得部は、前記オブジェクトの閲覧履歴に応じて前記広告情報を取得すること、
を特徴とする拡張現実システム。
［項目５］
項目１に記載の拡張現実システムであって、
前記ユーザが閲覧した前記拡張現実空間内の場所を特定する閲覧検出部をさらに備え、
前記広告取得部は、前記場所の閲覧履歴に応じて前記広告情報を取得すること、
を特徴とする拡張現実システム。
【００１１】
＜システム概要＞
本発明の実施形態に係る拡張現実システムの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１２】
＜第１の実施形態＞
図１は、本実施形態に係る拡張現実システム１の全体構成図である。図２は、本実施形態に係る拡張現実システム１のシステム構成図である。拡張現実システム１は、サーバ２を含んで構成され、サーバ２は、インターネット４を介してユーザ端末３と双方向に通信可能に接続される。
【００１３】
本実施形態の拡張現実コンテンツ提供システム１は、いわゆる拡張現実（ＡＲ；Augumented Reality）として表示するためのコンテンツ（以下、拡張現実コンテンツという。）を提供しようとするものである。
【００１４】
サーバ２は、ユーザ端末３に対して拡張現実コンテンツを提供するコンピュータである。サーバ２は、例えば、ワークステーションまたはパーソナルコンピュータのような汎用コンピュータとしてもよいし、或いはクラウドコンピューティングによって論理的に実現されてもよい。
【００１５】
ユーザ端末３は、拡張現実コンテンツを閲覧しようとするユーザが操作するコンピュータである。ユーザ端末３は、例えばスマートフォン、タブレットやノートパソコンのような電子端末であり得る。
【００１６】
＜サーバ２＞
サーバ２は、主に通信部２１と、記憶部２２と、提供部２３と、行動履歴取得部２４と、ユーザ属性決定部２５と、を備える。通信部２１、提供部２３、行動履歴取得部２４、ユーザ属性決定部２５は、例えば、サーバ２が備えるＣＰＵがストレージに記憶されているプログラムを実行することにより実現することができる。また、記憶部２２は、サーバ２が備えるストレージが提供する記憶領域の一部として実現される。ストレージは、例えば、ハードディスクやソリッドステートディスク、フラッシュメモリ、ＲＡＭ、ＲＯＭなどとすることができる。
【００１７】
通信部２１は、顧客のユーザ端末３等外部機器と通信する。通信部２１は、例えば無線通信手段とすることができる。
【００１８】
記憶部２２は、様々な情報が記憶されているデータベースやプログラム等が記憶されている。
【００１９】
例えば記憶部２２には、拡張現実に用いられる広告情報が記憶されている広告ＤＢ２２ａ等が含まれる。拡張現実に用いられいる広告には、商品や役務サービスに関する広告が含まれうる。また、広告の形態として、静止画又は動画を含む視覚情報と、音声情報と、匂い情報と、味覚情報と、触覚情報等が含まれている。視覚情報に関する広告情報は、広告を表示するための静止画像や動画像としてもよいし、テキストデータとしてもよい。音声情報に係る広告情報は、例えば、ＰＣＭ、ＭＰ３などのフォーマットによりエンコードされた音声データとしてもよいし、合成音声により音声情報を生成するためのテキストデータとしてもよい。また、広告情報には、広告に直接関連する広告属性情報と、広告に間接的に関連する広告関連情報等が含まれる。広告属性情報において、商品広告の場合は、例えば、商品の種類、形状、大きさ、特徴、値段、態様、用途、効果等の情報が含まれ、役務サービス広告の場合は、例えば、役務等の種類、特徴、値段、態様、効果等の情報が含まれる。そして、広告関連情報は、例えば、商品広告の場合、当該商品の販売場所等の情報が含まれ、役務サービスの場合は、役務サービスを受けられる場所等の情報が含まれる。
【００２０】
また、例えば記憶部２２には、ユーザの個人情報、ユーザの行動履歴情報、商品またはサービスの購買履歴情報を記憶する行動履歴ＤＢ２２ｂが含まれる。行動履歴ＤＢ２２ｂに記憶されるユーザの個人情報には、例えば、ユーザの性別、年齢、嗜好、趣味等の情報が含まれている。行動履歴ＤＢ２２ｂに記憶されるユーザの行動履歴情報には、例えば、ユーザによるインターネットの閲覧記録、訪問回数、所在地履歴、参加しているソーシャル・ネットワーキングサービス（ＳＮＳ）等の情報が含まれている。行動履歴ＤＢ２２ｂに記憶される購買履歴情報には、ユーザがオンラインショッピングなどにより購入した商品やサービスなどが記録されている。
【００２１】
行動履歴取得部２４は、ユーザの個人情報と、行動履歴情報と、購買履歴情報と、を収集して行動履歴ＤＢ２２ｂに記憶させまたは更新させる。収集する方法として、具体的には、例えば、情報収集部は、後述するユーザ端末３に備えてある端末記憶部やwebブラウザのクッキー（Ｃｏｏｋｉｅ）、後述する位置特定部にアクセスして各情報を取得する方法等があるが、一般的な方法を採用することが可能であり、ここでは詳細な説明を省略する。
【００２２】
ユーザ属性決定部２５は、ユーザの属するセグメントを決定する。ユーザ属性決定部２５は、例えば、記憶部２２に記憶されているユーザの個人情報及び行動履歴情報（ユーザ属性）のうち少なくとも一方の情報からユーザの関心ある広告の傾向（広告範囲）を決定することができる。例えば、ユーザは、二十代の女性（個人情報）であり、行動履歴情報ではカフェのサイトを複数回アクセスした履歴と、コーヒー豆を複数回購入している履歴等があると、ユーザ属性決定部は、当該ユーザに対してコーヒーやカフェラテ、そしてカフェ施設等に関連する広告（広告範囲）に関心があると決定することができる。また、ユーザ属性決定部は、機械学習等により、ユーザの関心ある広告について学習することができる。
【００２３】
提供部２３は、ユーザ属性決定部２５が決定したセグメントに基づき、広告ＤＢ２２ａから当該セグメントに属する広告情報を抽出し、ユーザ端末３へ送信する。なお、提供部２３は、単一の広告のみならず、ユーザ端末３に複数の広告を送信しても良い。
【００２４】
＜ユーザ端末３＞
ユーザ端末３は、主に通信部３１と、カメラ３２と、入力部３３と、表示部３４と、オブジェクト管理部３５と、広告管理部３６、広告対応部３７と、情報出力部３８と、位置特定部３９と、を含んで備えている。
【００２５】
端末通信部３１は、外部機器と通信可能な部分であり、例えば無線通信手段である。
【００２６】
カメラ３２は、撮影動作等を行う部分であり、光学像を電気信号に変換するＣＣＤやＣＭＯＳ素子等の撮像素子やシャッターを有している。また静止画のみに限らず動画像をも撮影することができる。
【００２７】
入力部３３は、例えば、タッチパネルやキーボード等のように、ユーザの操作を介して入力することができる。また、入力部３３は、手による操作のみならず、例えば音声による入力でもよい。
【００２８】
表示部３４は、例えば液晶モニタであり、各種情報を表示可能である。また、表示部３４は、入力部３３と一体であってもよい。
【００２９】
オブジェクト記憶部３５ａは、例えば、仮想のキャラクターや日常用品等をモチーフにした仮想オブジェクトを生成するために必要なモデル情報を記憶する。モデル情報は、例えば、ＵＳＤＺやｇｌＴＦなどの形式のデータとすることができる。また、モデル情報には、例えば、仮想オブジェクトのに直接関連する属性情報や、属性情報にや対応している関連広告属性情報や広告関連情報に対応する広告対応情報が含まれている。属性情報は、例えば、外観、種類、態様、部品構成等の情報をが含むことができるまれいる。
【００３０】
オブジェクト管理部３５ｂは、拡張現実コンテンツを作成する。具体的には、オブジェクト管理部３５ｂは、現実空間の画像（カメラ３２が撮影した画像）に重畳表示させる拡張現実画像を作成する。オブジェクト管理部３５ｂは、オブジェクト記憶部３５ａに記憶されているモデル情報に基づいて仮想オブジェクトを作成し、拡張現実空間に配置することができる。オブジェクト管理部３５ｂは、また、後述する広告管理部３６が作成した広告オブジェクトを拡張現実空間に配置することもできる。
【００３１】
広告受信部３６は、サーバ２から広告情報を受信する。
【００３２】
広告管理部３７は、受信した広告情報を当該広告情報に適する広告オブジェクトに適用する。広告オブジェクトは、オブジェクト管理部３５ｂが作成した仮想オブジェクトである。広告オブジェクトは、例えば、キャラクター等の、ユーザが指定したオブジェクトとともに配信されるオブジェクト（周辺オブジェクト）である。広告オブジェクトは、例えば、額縁やテレビジョンなど、元来その表面にコンテンツを表示するための仮想オブジェクトであってもよいし、壁や机、ドアなど、キャラクタ等のメインコンテンツとなる仮想オブジェクトの周囲に配される物品を表す仮想オブジェクトであってもよいし、Ｔシャツやカップなど、キャラクタ等のメインコンテンツとなる仮想オブジェクトが有している他の仮想オブジェクトであってもよい。広告管理部３７は、例えば、静止画像や動画像の広告情報を広告オブジェクトの表面にテクスチャとして貼付することにより、広告オブジェクトの外観に広告を表示させることができる。また、例えば、広告情報が音声情報である場合、広告オブジェクトに音声情報を付帯させて、広告オブジェクトの再生時に音声情報も再生させることができる。例えば、広告管理部３７は、新しい衣服に関する広告情報を受信した場合、衣服をモチーフにした広告オブジェクトの表面に新しい衣服のデザインを貼付させることができる。広告管理部３７は、広告情報の属性情報に対応している属性の広告オブジェクトに広告情報を装着させることができる。例えば、広告管理部３７は、新曲の広告情報を受信した場合、広告属性情報は音楽であるので、音楽に対応する広告対応情報を含んでいるラジカセをモチーフにした広告オブジェクトに装着させることができる。
【００３３】
端末記憶部は、ユーザの個人情報、インターネットの閲覧履歴、後述する商品またはサービスの購入履歴等が記憶をする機能を備えている。また、端末記憶部は、ｗｅｂブラウザのクッキーを含んでも良い。
【００３４】
購入処理部は、ユーザがインターネット上において商品またはサービスの購入を実行する機能を備えている。また、購入処理部は、商品またはサービスの購入履歴を端末記憶部に記憶させる機能を備えている。
【００３５】
情報出力部３８は、オブジェクト管理部３５ｂが作成した拡張現実画像を現実空間を撮影したカメラ３２の画像に重畳させて出力する。また、情報出力部３８は、動画像等の視覚情報、音声情報、匂い情報、触覚情報、味覚情報等を出力することもできる。情報出力部は、表示部３４を介して映像等の視覚情報を出力することができる。
【００３６】
位置特定部３９は、例えばGPS等衛星測位や近距離無線技術を用いて測位するビーコン等により、ユーザ端末３の位置情報を取得して記憶する機能を備えている。また、位置特定部３９は、取得した位置情報をサーバ２に送信することもできる。
【００３７】
図３は、ユーザ端末３が広告を受信するプロセスを示すフローチャートである。図４は、本実施形態に係る拡張現実システムにおける拡張現実コンテンツの表示に関する説明図である。図５は、本実施形態に係る拡張現実システムにおける仮想オブジェクトと広告とのインタラクションに関する説明図である。
【００３８】
まず、ステップＳ１として、ユーザは、ユーザ端末３において拡張現実モードを起動させる。拡張現実モードとは、ユーザ端末３のカメラ３２が起動されており、カメラ３２が撮影している周囲の実空間映像Ｐ（現実空間の情報）と、オブジェクト管理部３７が生成した仮想キャラクターOとドリンクをモチーフにした仮想ドリンクＤ（仮想オブジェクト）が、表示部３４に表示されている状態である。
【００３９】
次にステップＳ２では、サーバの情報収集部は、ユーザ端末からユーザの個人情報、行動履歴情報、購買履歴情報等を取得して記憶部に保存または更新する。そして、サーバは、記憶部保存されている個人情報、行動履歴情報、購買履歴情報に基づいてユーザに提供する広告範囲を決定する。
【００４０】
次に、ステップＳ３では、サーバ２は、決定した広告範囲内に属する広告を広告ＤＢから抽出してユーザ端末３に送信する。
【００４１】
次にステップＳ４では、広告管理部３７は、受信した広告に対して、適する仮想ドリンクＤに対応づけさせて広告オブジェクトＣを生成させる
【００４２】
次にステップＳ５では、オブジェクト管理部３５ｂは、仮想キャラクターＯに広告オブジェクトＣに反応させるように制御する。本実施形態では、仮想キャラクターＯは、広告オブジェクＣを持上げているが、これに限らない。例えば、仮想キャラクターは、広告オブジェクトを触れたり、叩いたり等広告オブジェクトに外力を加えてもよい。また、仮想キャラクターは、広告オブジェクトに関して言及してもよい。例えば、広告を受信したり、広告オブジェクトが生成されたりすると、仮想キャラクターは、その旨について音声出力する等がある。また、仮想キャラクターは、その用途に応じて使用してもよい。例えば、広告オブジェクトがドリンクの場合、仮想キャラクターは、その広告オブジェクトに対して飲む仕草を行うことができる。
【００４３】
次に、ステップＳ６では、ユーザは、広告の内容を表示また再生させ、以上で本実施形態におけるプロセスは終了する。
【００４４】
このように、本実施形態における拡張現実システム１は、ユーザに対して拡張現実コンテンツとともに広告を出力することができる。
【００４５】
＜第２の実施形態＞
第２の実施形態では、ユーザ端末３は広告受信部３６及び広告管理部３７を省略し、サーバ２の記憶部２２が、広告ＤＢ２２ａに加えてオブジェクトＤＢ２２ｂを備えるようにする。
【００４６】
オブジェクトＤＢ２２ｂは、拡張現実空間に配置する仮想オブジェクトのモデル情報（以下、単に仮想オブジェクトともいう。）を記憶する。モデル情報は、例えば、ＵＳＤＺやｇｌＴＦなどの形式のデータとすることができる。
【００４７】
第２の実施形態において、提供部２３は、拡張現実コンテンツを提供する。提供部２３は、例えば、ユーザ端末３からのリクエストに応じて拡張現実コンテンツを提供することができる。リクエストには、キャラクターなどのユーザが閲覧を希望する仮想オブジェクト（以下、コンテンツオブジェクトという。）が指定される。提供部２３は、リクエストに指定されているコンテンツオブジェクトを記憶部２２から読み出し、コンテンツオブジェクトと当該コンテンツオブジェクトを拡張現実空間に配置するためのシーン情報とを含む拡張現実コンテンツをユーザ端末３に応答する。この際に、提供部２３は、広告を表示するための仮想オブジェクト（以下、広告オブジェクトという。）を拡張現実コンテンツに含めてユーザ端末３に応答することがえきる。提供部２３は、例えば、広告オブジェクトのテクスチャとして、広告画像を貼り付けることができる。
【００４８】
第２の実施形態において、ステップＳ２に先立ち、ユーザ端末３が拡張現実コンテンツのリクエストをサーバ２に送信する。リクエストには、ユーザが閲覧したいキャラクタなどの仮想オブジェクトの指定が含まれる。
【００４９】
また、ステップＳ３において、サーバ２は、リクエストに応じて拡張現実コンテンツを作成する。サーバ２は、例えば、リクエストに指定されたキャラクタ等の仮想オブジェクト（以下、コンテンツオブジェクトという。）に対応するモデル情報をオブジェクトＤＢ２２ｂから読み出して、拡張現実コンテンツを作成すことができる。サーバ２はまた、ユーザからの指定のない、例えば背景のセットや小物等のオブジェクトを広告オブジェクトとして生成し、広告情報を広告オブジェクトのテクスチャに貼付したうえで拡張現実コンテンツに含めることができる。また、サーバ２は、コンテンツオブジェクト及び広告オブジェクトの配置位置や動きなどを指定したシーン情報を拡張現実コンテンツに含めることができる。
【００５０】
ステップＳ４において、ユーザ端末３は、拡張現実コンテンツを受信し、受信した拡張現実コンテンツに基づいて、拡張現実のシーンを作成することができる。
【００５１】
第２の実施形態では、ステップＳ５、Ｓ６は省略することができる。
【００５２】
以上のようにして、第２の実施形態に係る拡張現実コンテンツ提供システムによれば、ユーザが閲覧しようとするコンテンツオブジェクトに付随させて広告オブジェクトを提供することができる。したがって、ユーザが興味を持っているコンテンツオブジェクトと同一の拡張現実空間に広告を配置することができる。
【００５３】
以上で本発明の実施形態の説明を終えるが、本発明の態様はこの実施形態に限定されるものではない。
【００５４】
上記実施形態では、ユーザの属性に応じたセグメントを特定しているが、ターゲティング広告のためのセグメント分けであれば、上述の方法に限られない。セグメント分けは、例えば、購入履歴に基づいて行ってもよいし、行動履歴に基づいて行ってもよい。拡張現実空間の中での行動に限った行動履歴に基づいてセグメント分けを行うようにしてもよい。また、ユーザが拡張現実空間内のどこを見ていたかを、例えば、カメラ３２の合焦ポイントがどこであったかにより特定することができ、ユーザが見ていた場所の履歴に応じたセグメント分けを行うようにしてもよい。また、拡張現実空間内に配置されたどのオブジェクトをユーザが見ていたかを特定し、ユーザが見ていたオブジェクトに応じてセグメント分けを行うようにしてもよい。
【００５５】
上記実施形態では、ユーザは、入力部３３の操作により広告を再生しているが、これに限らない。例えば、広告管理部３６にはキーワードを検知する機能を備えており、広告管理部３６は、仮想キャラクターとユーザとの音声または文字による会話中に広告に関するキーワードを検知すると広告を表示や再生機能を備えても良い。そうすることで、ユーザに広告に対する関心・親近感をより持たせる効果がある。（請求項５の効果）
【００５６】
上記実施形態では、サーバ２の広告提供部２３は、位置情報に関連する広告を抽出してユーザ端末３に送信するが、これに限らない。例えば、広告提供部２３は、オブジェクト管理部３５から仮想オブジェクトの属性情報を取得する機能を備えており、取得した属性情報に関連する広告を抽出してもよい。そうすることで、サーバ２は、ユーザにとって関心の高い広告を提供することができる。（請求項６の効果）
【００５７】
また、上記実施形態では、広告オブジェクトは、広告と仮想オブジェクトの対応付けにより生成されたが、これに限らない。例えば、ユーザ端末３のオブジェクト管理部３５は広告を広告オブジェクト（仮想オブジェクト）に直接変換する機能を備えてもよい。（請求項３の効果）
【００５８】
また、上記実施形態における、拡張現実モードは、カメラ３２が撮影している周囲の実空間映像Ｐ（現実空間の情報）と、オブジェクト管理部３７が生成している仮想キャラクターＯ（仮想オブジェクト）とが、表示部３４に表示されている状態としているが、これに限らない。例えば、ユーザ端末の位置情報とユーザ端末が向いている方向に基づいて、カメラによって撮影されている周囲の現実空間（建物、道路、オブジェクト等）を認識する拡張現実による道案サービス（例えばGoogle map サービスであるLive View）であってもよい。
【００５９】
また、オブジェクト管理部３５は、拡張現実モードにより認識した周囲の現実空間（建物、道路、オブジェクト等）をその全部または一部を仮想オブジェクト（実空間オブジェクト）に変換する機能を備えてもよい。（請求項４の効果）
【００６０】
また、サーバ２の広告提供部２３は、位置情報と前記現実空間オブジェクトに関する情報に関連する広告を抽出してユーザ端末３に送信してもよい。（請求項７の効果）
【００６１】
また、上記実施形態では、ユーザ端末３は、現実拡張モードを起動すると広告を受信しているが、これに限らない。例えば、ユーザ端末３は、周囲環境が変化するとその周囲環境に関連する広告を自動的に受信（更新）してもよい。（請求項１１の効果）
【００６２】
例えば、ユーザ端末３には、ユーザの所在地の変化に応じて広告を更新させる図示しない広告更新部を備えてもよい。詳細には、広告更新部はユーザが移動等所在地が変わるとそれに検知して、広告管理部３６に新しい広告を取得させる機能を備えている。（請求項１２の効果）
【００６３】
また、広告更新部による広告の更新条件は、ユーザの所在地の変化に限らず、時間帯の変化でもよい。例えば、広告更新部は、特定の時間帯に広告を取得してもよいし、所定の時間間隔で取得してもよい。また、広告更新部は、検索結果に関する広告が更新する度に更新された広告を取得してもよい。また、広告更新部は、広告管理部３６と一体となってもよい。（請求項１３の効果）
【００６４】
上記実施形態では、広告は、映像で表示してあるが、これに限らず音声情報でもよい。
【００６５】
また、上記実施形態における広告と、現実空間の環境は匂い情報でもよい。例えばは、ユーザ端末３の情報出力部３８には、匂いの素が少なくとも一つ含まれており、情報出力部３８は、１又は複数の匂いの素を放出させることができる。匂いの素は、例えば、フラネオール（イチゴの香り）や１−ヘキサノール（森林の香り）等の単一の化学物質でもよいし、これらを組合わせたものでもよい。また、例えば、化学物質の組成を問わず、ジャスミンの香りと同等の香りを１単位とする匂いでもよい。即ち、情報出力部３８は、例えば、イチゴミルクの匂いを出力方法として、複数の化学物質の組合せによって同等の匂いを出力しても良いし、イチゴの匂いを１単位とする匂いと、ミルクの匂いを１単位とするの匂いとを組合わせて出力してもよい。
【００６６】
また、上記実施形態における広告と、現実空間の環境は味覚情報でもよい。例えば、ユーザ端末３の情報出力部３８には、味覚の素が少なくとも一つが含まれており、情報出力部３８は、１又は複数の味覚の素を放出させることができる。味覚の素は、例えば、イノシン酸やグルタミン酸等の単一の化学物質でも良いし、これらを組合わせたものでもよい。また、例えば、化学物質の組成を問わず、イチゴ味と同等の味を１単位とする味でもよい。即ち、情報出力部３８は、例えば、イチゴチョコレートの味覚情報を出力方法として、複数の化学物質の組合せによって同等の味を出力しても良いし、イチゴ味を１単位とする味と、チョコレート味を１単位とする味とを組合わせて出力してよい。
【００６７】
また、上記実施形態における広告と、現実空間の環境は触覚情報でもよい。（請求項１４の効果）
【００６８】
また、本実施形態では、拡張現実（ＡＲ；Augumented Reality）による仮想空間を想定していたが、これに限らず、仮想現実（ＶＲ；Virtual Reality）空間あるいは複合現実（ＭＲ；Mixed Reality）空間であっても本実施形態の広告システムはそのまま適用可能である。
【符号の説明】
【００６９】
１      広告システム
２      サーバ
３      ユーザ端末
２１    サーバ通信部      
２２    記憶部
２２ａ  広告ＤＢ
２３    広告提供部
３１    端末通信部
３２    カメラ
３３    入力部
３４    表示部
３５    オブジェクト管理部
３６    広告管理部
３７    広告対応部
３８    情報出力部
３９    位置特定部
【要約】
【課題】拡張現実空間に広告を提供することができるようにする。
【解決手段】拡張現実システムであって、拡張現実空間に配置されたオブジェクトを視聴するユーザ属性に応じた広告情報を取得する広告取得部と、拡張空間にオブジェクトを配置するとともに、広告情報を配置するオブジェクト管理部と、を備えることを特徴とする。
【選択図】図１【図１】
0006905615.tif 000002
【図２】
0006905615.tif 000003
【図３】
0006905615.tif 000004
【図４】
0006905615.tif 000005
【図５】
0006905615.tif 000006